(57)【特許請求の範囲】
【請求項１】
手袋であって、
非弾性のおもて面部分と、該おもて面部分につながれる裏面部分から成り、
該裏面部分が、
手の甲部分を覆う第１の弾性材料から成る第１の層と、
手の甲部分の左右方向に延びておもて面部分につながれる少なくとも１本の主弾性リブ部材と、裏面部分全体に広がり、且つ不連続な点で該おもて面部分につながれる複数の弾性リブ部材で形成される第２の弾性材料から成る、第１の層に重なる第２の層で構成され、
該第２の層は該第１の層の５０％未満を覆う
ことを特徴とする手袋。
【請求項２】
請求項１の手袋であって、前記第２の層が、前記第１の層の２０％未満を覆う手袋。
【請求項３】
請求項１又は２の手袋であって、前記主弾性リブ部材と前記複数の弾性リブ部材が、一体に形成される手袋。
【請求項４】
請求項１乃至３のいずれかの手袋であって、前記第２の弾性材料が隙間を備える手袋。
【請求項５】
請求項１乃至４のいずれかの手袋であって、前記おもて面部分が、更に、手のひら部分及び該手のひら部分から伸びる複数の指部分を含む手袋。
【請求項６】
請求項５の手袋であって、前記第１の弾性材料が、前記指部分の少なくとも１つに沿って延びる手袋。
【請求項７】
請求項５又は６の手袋であって、前記複数の弾性リブ部材が、前記指部分の少なくとも１つの裏面部分に広がり、且つ不連続な点で該おもて面部分につながれる指のリブ部材を含む手袋。
【請求項８】
請求項５乃至７のいずれかの手袋であって、前記複数の弾性リブ部材が、少なくとも２組の弾性リブ部材から成り、第１の弾性リブ部材が、前記主弾性リブ部材と一体に形成されると共に手の甲部分全体に広がり、第２の弾性リブ部材が、前記指部分の少なくとも１つの裏面部分に広がる手袋。
【請求項９】
請求項８の手袋であって、前記第１及び第２の弾性リブ部材が、互いにつながっている手袋。
【請求項１０】
請求項８又は９の手袋であって、更に、少なくとも１つの残りの指部分の裏面部分に広がる少なくとも１つの追加の弾性リブ部材を含む手袋。
【請求項１１】
請求項８又は９の手袋であって、更に、残りの指部分の各々の裏面部分に広がる４つの追加の弾性リブ部材を含む手袋。
【請求項１２】
請求項８、１０又は１１のいずれかの手袋であって、前記第２又は追加の弾性リブ部材の少なくとも１つが、前記第１の弾性リブ部材から離れている手袋。
【請求項１３】
請求項４乃至１２のいずれかの手袋であって、前記第２の弾性材料の各隙間の面積が２ｍｍ2以上である手袋。
【請求項１４】
請求項１乃至１３のいずれかの手袋であって、前記おもて面部分が、皮、合成皮、不織布、天然織物、及び合成繊維からなるグループから選択された材料から形成される手袋。
【請求項１５】
請求項１乃至１４のいずれかの手袋であって、前記第１及び第２の弾性材料が、ネオプレン、ＬＹＣＲＡ、スパンデックス、及びポリエステルの１つから成る弾性材料から作られた織布又は不織布である手袋。
【請求項１６】
手袋であって、
非弾性のおもて面部分と、該おもて面部分につながれる裏面部分から成り、
該裏面部分が、
手の甲部分の左右方向に延びておもて面部分につながれる少なくとも１本の主弾性リブ部材と、裏面分全体に広がり、且つ不連続な点で該おもて面部分につながれる複数の弾性リブ部材で形成される層であって、
該層は裏面部分の５０％未満を覆う
ことを特徴とする手袋。
【請求項１７】
請求項１６の手袋であって、
前記複数の弾性リブ部材が、少なくとも２組の弾性リブ部材から成り、第１の弾性リブ部材が、手の甲部分全体に広がり、第２の弾性リブ部材が、前記指部分の少なくとも１つの裏面部分に広がり、
該第１の弾性リブ部材と該第２の弾性リブ部材が、前記主弾性リブ部材と一体に形成される一片の材料から形成される
ことを特徴とする手袋。
【請求項１８】
手袋であって、
非弾性のおもて面部分と、該おもて面部分につながれる裏面部分から成り、
該裏面部分が、裏面の任意の部分を覆う弾性材料と、残りの裏面部分を覆う非弾性材料から形成され、
該弾性材料は、裏面の任意の部分を覆う第１の弾性材料から成る第１の層と、該第１の層に重なり、不連続な点でおもて面部分及び／又は任意の裏面部分を覆う非弾性材料につながれる複数の弾性リブ部材で形成される第２の弾性材料から成る第２の層で構成される
ことを特徴とする手袋。
【発明の詳細な説明】
【０００１】
【発明の属する技術分野】
本発明は、使用者の手にぴったりとフィットするように設計される一方、また、十分に柔軟であるので、静的及び動的な手の位置決め及び動きの双方が可能である手袋に関する。より詳細には、本発明は、裏面部分に外骨格層を有した手袋に関する。
【０００２】
【従来の技術】
いくつかの従来の手袋は、典型的には、ラケット、バット、またはゴルフクラブをスイングすることといった、様々な運動動作をするのに十分な指の柔軟性を与えず、指にしっかりとフィットしたままである。指にある程度の柔軟性を有する多数の手袋は、不都合にも、短い期間にわたって消耗する薄い材料を用いて、しばしばそうである。また、いくつかの従来の手袋は、使用中に着用者の手を快適に保ち、乾燥させておく最適レベルの通気性を呈しない。これらの問題及び他の問題に対処するために、いくつかの手袋が、特に手袋の甲が、弾性材料で製造されている。例えば、以下の特許は、弾性材料を含む手の甲を有した手袋を記述する。
【０００３】
米国特許第３，１２３，８３２号は、手袋のリストバンドから指まで、または、わずかに短いところまで伸張すると共に、該手袋の中間に配置された補強部材を有したボーリング手袋を開示する。補強材は、例えば、縫合、または、適切な接着剤によって、いずれにせよ、裏側表面に直接固定される。斯かる補強材は、好適には、双方向に伸縮可能な弾性（ｅｌａｓｔｉｃ）または反発弾性（ｒｅｓｉｌｉｅｎｔ）材料であって、指を補強するために手の甲全体に剛性または引張りを与えるだけでなく、手袋を本質的に手に接触させてぴったりとフィットさせるのに役立つ。
【０００４】
オバートン（Ｏｖｅｒｔｏｎ）への米国特許第４，７０１，９６３号は、リストカフから親指開口部に向かって上方向に伸張すると共に、親指開口部からちょうど内側に向かって隔置された伸張可能または伸縮可能インサートを含む裏側を有した手袋を開示する。
【０００５】
ファブリー（Ｆａｂｒｙ）等への米国特許第５，３４５，６０９号は、１以上の中空の、流体充填衝撃吸収セルが配置された少なくとも１つのポケットを備えた裏面部分を有した保護手袋を開示する。前記セルは、弾性生地で作られた内側及び外側パネルによって被覆され、斯かる弾性生地は連携して弾性保護気泡材料用の閉じたポケットを形成する。弾性パネルは所定の位置に気泡材料をしっかりと保持すると共に、斯かる気泡材料と概ね同一の形状に切断される。弾性パネルは、次いで、斯かる気泡材料と共に重ねられて、その端が該気泡材料の端の周り、及び該気泡材料の端の下で湾曲される。
【０００６】
レッドウッド（Ｒｅｄｗｏｏｄ）等への米国特許第５，７０８，９７９号は、弾性裏面を備えた手袋を開示する。斯かる手袋は、手のひら被覆部分と、該手のひら被覆部分から伸張する複数の指被覆部分と、該手のひら被覆部分と関連して手を収容する空洞を形成する裏面部分とを含む。手袋は、更に、各々の指の少なくとも１つの指の付け根の関節を通り過ぎ、且つ、該関節上を裏面部分から伸張する弾性部材を含む。
【０００７】
マスティン（Ｍｕｓｔｉｎ）への米国特許第６，１８２，２９３号は、手のひらにボール保持吸着盤を備えたスポーツ手袋を開示する。斯かる手袋は、人間の手のひらにフィットするように設計された本体部分と、複数の指連結部分と、親指連結部分とを含む。指及び親指連結部分の各々が、弾性材料から成ると共に、更に、指または親指包み込み環を含む。
【０００８】
【発明が解決しようとする課題】
そこで、本発明は上記従来技術の問題点に鑑みなされたもので、特にスポーツ手袋用に、満足な水準の柔軟性、耐摩耗性、及び通気性を提供する他の手袋の構成の必要性が依然として存在することに着目し、これらの必要性を解決することを課題とする。
【０００９】
【課題を解決するための手段】
本発明は、手袋につなぎ合わされたおもて面部分及び裏面部分を備えた手袋に関する。前記裏面部分は、外骨格層を含む。前記外骨格層は、弾性材料から形成されて、斯かる手袋は、該外骨格層を通して使用者の手が見えるように構成することができる。
本発明の１実施例によれば、手袋は、実質的に非弾性のおもて面部分及び該おもて面部分につなぎ合わされた裏面部分から成る。前記裏面部分は、第１の実質的に弾性の材料、及び第２の実質的に弾性の材料を備えることができる。第２の弾性材料は、複数の弾性部材を含むことができる。
斯かる手袋では、第１の弾性材料は、第１の層を形成することが可能であり、且つ、第２の弾性材料は、該第１の層の少なくとも一部分に重なる第２の層を形成すること可能である。更に、第２の弾性材料は、概ね、裏面部分全体に伸張することが可能である。
本発明の１態様によれば、おもて面部分は、更に、手のひら部分及び該手のひら部分から伸張する指部分を含む。斯かる手袋では、複数の弾性部材が、前記指部分の少なくとも１つに沿って伸張することができる。
【００１０】
本発明の他の実施例では、裏面部分は、実質的に非弾性の材料に接合された実質的に弾性の材料から成る第１の層と、複数の弾性部材の形をした実質的に弾性の材料から成る第２の重なり層とから形成することができる。
或いは、斯かる手袋では、複数の弾性部材は、少なくとも２セットの部材を含むことができる。第１のセットの部材は、裏面部分全体に伸張し、且つ、第２のセットの部材は、指部分の少なくとも１つに沿って伸張する。本発明のいくつかの実施例によれば、第１及び第２のセットの部材は、１片の材料から形成されるか、または、別々の断片として形成することができる。
【００１１】
他の実施例では、追加セットの弾性部材は、他の、または、全ての残りの指部分に沿って伸張することができる。
本発明の他の態様によれば、第１及び第２の弾性材料は、特に、織布、不織布、ネオプレン、ＬＹＣＲＡ、スパンデックス、またはポリエステル尿素であることができる。
本発明は、また、おもて面部分及び裏面部分から成る手袋に関する。裏面部分は、不連続な点で該おもて面部分につなぎ合わされた複数の弾性部材から成ることができる。
本発明は、また、おもて面部分及び裏面部分から成る手袋に関する。裏面部分は、該おもて面部分につなぎ合わされた複数の成型弾性部材から成ることができる。
本発明の1態様によれば、弾性部材は、その間に少なくとも１つの開放隙間を備えた網目を形成し、各隙間の面積は、約２ｍｍ２を超えることができる。
【００１２】
【実施例】
以下、図面に基づいて本発明の実施例を詳細に説明する。
図1乃至図２を参照すると、ゴルフ手袋１０が示される。ゴルフ手袋１０は、おもて面部分１２及び裏面部分１４を含む。おもて面部分１２は、手のひら部分１６及び該手のひら部分から伸張する複数の指部分１８ａ乃至ｅを含む。指部分１８ａ乃至ｅは、親指部分１８ｅを含む。本実施例では、手のひら部分１６及び指部分１８ａ乃至ｄが、１片の材料から形成されて、別個の親指部分が、該手のひら部分１６に、縫合により接合される。しかしながら、親指部分１８ｅは、接着等の他の技術を使用して手のひら部分１６に接合することができる。
【００１３】
他の実施例では、手のひら及び指部分を、任意の数の片でもうけ、次いで、接合し合うことができる。例えば、１片が、手のひら部分１６及び指部分１８ａ乃至ｅを含むことができる。
おもて面部分１２は、好適には、実質的に非弾性である材料から形成され、特に、皮、合成皮、他の不織布、天然織物、または合成織物であることができる。適切な皮材料は、特に、鹿皮、ドスキン、または牛皮を含む。適当な不織布は、特に、ナイロン、ナイロンアクリル、ネオプレン、またはテリー織物を含む。他の熱可塑性材料もまた使用することができる。
【００１４】
１好適な実施例では、皮が使用されて、良い「感触」を提供する一方、良好な耐摩耗性を提供する。１実施例では、使用された皮は、改質して、連続したパターンの滑らかなしぼ及び不連続な粗面を有した表面外観を提供することができる。この改質は、ある一定の条件下で、改善されたグリップ特性を提供すると共に、水等の液体を表面から除去することを容易にする。この効果を達成する数多くの方法があり、斯かる方法は当業者には公知である。斯かる製品は、イギリス国サマセットＢＡ２１  ５ＢＡ、ヨーヴィル、シャーボーンロードのピタード社（Ｐｉｔｔａｒｄｓ  Ｐｌｃ，  Ｓｈｅｒｂｏｒｎｅ  Ｒｏａｄ，Ｙｅｏｖｉｌ，Ｓｏｍｅｒｓｅｔ  ＢＡ２１  ５ＢＡ，Ｇｒｅａｔ  Ｂｒｉｔａｉｎ）から入手できる。好適な材料は、模造または人工の蛇皮の外観を有するＰＩＴＴＡＲＤＳＤＩＧＩＴＡＬ  ＬＥＡＴＨＥＲ（登録商標）であって、ＰＩＴＴＡＲＤＳ  ＤＩＧＩＴＡＬ  ＬＥＡＴＨＥＲ（登録商標）は、良好な耐摩耗性等の、所望の物理的特性を維持する一方、手袋に魅力的な外見を与える。
【００１５】
図１及び２を参照すると、手袋１０は、更に、指部分１８ａ乃至ｅ及び手のひら部分１６につながれた指のまち２０を含み、使用者の手の部分と同様に構成して同じ大きさにしたキャビティ２２を画定する。斯かる指のまちは、手袋の裏面部分１４の構成及び寸法により任意である。好適には、手袋１０は、指のまちを含み、使用者の指側の材料が滑らかであるのでクラブを握り易くすると共に、指を動かすときの不快さを防ぐ。更に、指のまちは、好適には、おもて面部分１２に使用される材料に類似の、実質的に非弾性の材料で形成されるが、実質的に弾性の材料を、適切な手袋の構成及び寸法を備えた指のまちに使用して、適切にフィットさせることができる。
【００１６】
図１を参照すると、手袋１０の裏面部分１４が、指のまち２０及び手のひら部分１６につながれた、実質的に弾性の材料から成る第１の層２４から形成されて、使用者の手を収容する空洞を形成する。手袋の第１の層２４とおもて面部分と指のまちとの間のつながりは、不連続な点ではなく、実質的に連続している。このつながりは、縫合により達成されるが、結合（ｂｏｎｄｉｎｇ）または接着（ａｄｈｅｓｉｖｅ）等の、他の技術もまた使用することができる。層２４に使用されるエラストマー材料または弾性材料は、好適には、１方向の伸縮材料であり、さらに好適には、双方向の伸縮材料である。第１の層材料２４は、約１ｍｍ２未満の小さな面積の隙間２１を有する。
【００１７】
層２４用の弾性材料は、手袋に配置され、様々な方向の伸縮を提供することができるが、該弾性材料は、好適には、着用者の手の甲全体に、少なくとも親指から小指までの伸縮を提供する。指では、１方向弾性材料が、指を曲げると、指の方へ指の付け根の関節上を縦方向に伸縮するのが好適であるが、各指の付け根の関節の幅方向に伸縮する１方向材料もまた適切な手袋フィットを提供する。第１の層２４用の弾性材料は、好適には、風通しをよくして、湿気及び手袋の中の運動選手の手の予想される過熱を軽減する。斯かる材料は、好適には、より一層のぴったりとしたフィットをもたらすメッシュ生地であり、より好適には、Ｅ．Ｉ．デュポン・ドゥ・ネモーズ社（Ｅ．Ｉ．ＤｕＰｏｎｔ  ｄｅ  Ｎｅｍｏｕｒｓ＆  Ｃｏｍｐａｎｙ）から入手できるＬＹＣＲＡ（登録商標）及び／またはスパンデックス（Ｓｐａｎｄｅｘ）から形成された伸縮性を持たせたメッシュ生地である。更に、好適には、第１の層２４は、２ｍｍ未満の厚さを有するので、該材料は着用者にとって快適である。
【００１８】
第１の層２４用の１好適な弾性材料は、２層１方向伸縮サテン裏の材料であるＧ８（登録商標）であることができ、また、マサチューセッツ州ブロックトンのエイボン・テープ社（Ａｖｏｎ  Ｔａｐｅ，  Ｉｎｃ．  ｌｏｃａｔｅｄ  ｉｎＢｒｏｃｋｔｏｎ，  Ｍａｓｓ）から入手できる。この滑らかな材料は、手に対して手袋の滑らかさを増大させる。もっとも好適な材料は、その優れた耐磨耗性及び伸縮特性により、伸縮性を持たせたメッシュ生地Ｇ６（登録商標）であり、Ｇ６は、ナイロン及びポリエステルから成る調整された双方向伸縮組み合わせを有し、エイボン・テープ社から入手できる。
【００１９】
図１を再度参照すると、第１の層２４は、更に、着用者の手を手袋に挿入するのを簡単にするためのスリット２４ａを含む。好適には、このスリットの端から端まで、任意の表示２５ａを備えたマジックテープ（登録商標）式留め部材２５が加えられて、手袋をしっかりと締め合わせて、一旦手にはめると手袋がずれないようにする。
手の甲部分に沿って本発明の弾性材料を使用して、より一層のフィットを提供することで、従来技術で可能であったよりも、より硬く、より耐摩耗性の高い材料を使用して手袋の残りの部分を構成することが可能となる。上記の不織布は、好適には、図２に示す如く、手袋おもて面部分１２に使用されるが、特定の材料を別個に選択することができる。
【００２０】
図１を参照すると、裏面部分１４は、更に、弾性材料から成る第１の層２４の少なくとも一部分に重なっている弾性材料から成る第２の層２６を含む。好適には、裏面部分の層２４及び２６の幅は、使用者の指または手の幅未満であるので、該裏面部分は、使用者の手のひら及び指全体に渡って、おもて面部分をしっかりと引き伸ばす。更に、好適には、第２の層２６は薄く、例えば、２ｍｍ未満の厚さを有するので、物体を握る時に手に重なる材料が、着用者に心地よい。
好適には、第２の層２６の総面積は、第１の層２４の総面積の約５０パーセント未満である。より好適には、第２の層２４の総面積は、第１の層２６の総面積の約２０パーセント未満である。本実施例では、第２の層２４の総面積は、第１の層２６の総面積の約５パーセントである。第２の層２６は、好適には、手袋の外骨格層を形成する。
【００２１】
第２の層２６は、好適には、複数の弾性部材またはリブから形成される。各リブは、長さ及び幅を有し、斯かる長さは、斯かる幅を超える。主リブ２８は、概ね、手袋の裏面部分１４全体に伸張し、好適には、不連続な点３０及び３２で、おもて面部分１２（図２に図示する如く）につながれる。複数の下部リブ３４が、前記主リブ２８から下方向に伸張すると共に、不連続に隔置された点で、おもて面部分につながれる。斯かるリブは、結合（ｂｏｎｄｉｎｇ）、縫合、接着等によって、不連続な点のみにおいて、おもて面部分につなぐことができる。層２６が、手袋のおもて面部分につながれていないこれらの不連続な点の間には空間がある。
【００２２】
主リブ２８及び下部リブ３４は、裏面部分全体に伸張して、その間の空地（くうち）である隙間３６及び３７を備えた網目を創出する１組のリブを形成する。隙間３６は、完全に、リブ２８及び／または３４によって囲まれ、且つ、隙間３７は、部分的に、リブ２８及び／または３４によって囲まれる。第１の層２４は、前記隙間３６及び３７を通して見える。隙間３６、３７の各々の面積は、概ね、第１の層２４材料の隙間２１間の面積を超え、且つ、約２ｍｍ２を超える。第１の層２４は隙間３６及び３７を通して見えるので、該第１の層２４は同じ色または第２の層２６と異なる色であることができる。
複数の上部リブ３８乃至４６が、それぞれ、指部分１８ａ乃至ｅの各々に沿って伸張して第２のセットの弾性部材を形成する。小指部分１８ａに沿って伸張する上部リブ３８は、好適には、主リブ２８から切り離されているが、不連続な点で、おもて面部分につながれる。薬指部分１８ｂに沿って伸張する上部リブ４０は、好適には、主リブ２８に結ばれると共に、不連続な点でおもて面部分につながれる。中指部分１８ｃに沿って伸張する上部リブ４２が、好適には、主リブ２８に結ばれると共に、不連続な点で、おもて面部分につながれる。人差し指部分１８ｄに沿って伸張する上部リブ４４は、好適には、主リブ２８に結ばれると共に、不連続な点で、おもて面部分につながれる。親指部分１８ｅに沿って伸張する上部リブ４６は、好適には、主リブ２８から切り離されているが、不連続な点でおもて面部分につながれる。
【００２３】
本実施例では、上部リブ４０乃至４４、主リブ２８、及び下部リブ３４は単片の材料から形成される。上部リブ３８及び４６は、各々、別個の片の材料として形成される。第２の層２６は、好適には、成型によって形成されるが、この層は、また、選択された材料によって、様々な織布または不織布材料形成技術を使用して形成することができる。
或いは、第２の層２６は、上部リブ３８乃至４６、主リブ２８及び下部リブ３４の全てを含む単片として形成されるか、または、第２の層は単片として形成された上部リブ３８乃至４６の全てからではなく形成されるか、または、上部リブ３８乃至４６は、全て、主リブ２８から切り離すことができる。更に、上部リブの長さは修正することができるので、該上部リブは、より小さい割合の、または、より大きい割合の関連する指部分を伸張させ、該上部リブ３８乃至４６それ自体を構成する個別のリブは、別々の片として形成することができる。代替の実施例では、手袋は、指部分または指部分でない部分または下部リブでない部分の少なくとも１つに沿ってのみ伸張する複数の弾性部材を含むことができる。
第２の層２６のおもて面部分１２へのつなぎは、該おもて面部分へ直接縫合することによりなされることができ、または、指のまちへのつなぎは、該おもて面部分に次につながれた第１の層２４へ縫合することによりなされることができる。更に、第２の層２６は、第１の層２４とおもて面部分１２との間にはさむことができるので、これらの３つの構成材料は同時に縫合することができる。縫合しないとすれば、接着のような別の方法もまた使用可能である。
【００２４】
１実施例では、第２の層２６の底面は、第１の層２４へ固定することができるので、該層２４及び２６は、互いにずれることができない。これは、例えば、実質的に、第２の層２６の底面全体を、第１の層へ結合（ｂｏｎｄｉｎｇ）することによって、または、第２の層２６の少なくとも１つの弾性部材の底面を、第１の層２４へ結合（ｂｏｎｄｉｎｇ）することによって達成することができる。他の実施例では、第２の層２６は、第１の層から切り離すことができるので、該第１及び第２の層は一緒には固定されない。結果として、前記層２４及び２６は、互いに自由に動くことができる。
第１の層２４及び第２の層２６は、特に、織布、不織布、ネオプレン、またはポリエステル尿素から形成することができる。好適なポリエステル尿素は、Ｅ．Ｉ．デュポン・ドゥ・ネモーズ社（Ｅ．Ｉ．ＤｕＰｏｎｔ  ｄｅ  Ｎｅｍｏｕｒｓ  ＆  Ｃｏｍｐａｎｙ）から入手できるＬＹＣＲＡ（登録商標）である。ポリエステル尿素は高分子材料であり、他の斯かる材料は、第２の層に使用することができる。より好適には、第２の層２６は、成型材料から形成することができる。
【００２５】
図３を参照すると、手袋１１０の第２の実施例が示される。手袋１１０は、上記の手袋１０に類似している。裏面部分１１４は、弾性材料から成るリブから成る単層１２６から形成される。前記層１２６は、網目になっているので、隙間１３６、１３７が形成される。層１２６の形状は変更することができるので、本発明はこの構成に制限されるものではない。前記裏面部分１１４は単層であるので、使用者の手が手袋内にあるときは、使用者の手は、隙間１３６、１３７を通して見える。本実施例では、使用者の手が置かれる、実質的に閉じた空洞はない。第２の層１２６は使用者の手に接触して、滑らかな、または、柔らかい底面を有するので、該層１２６は、着用者に心地よい。第２の層１２６の底面の必要な滑らかさ、または、柔らかさは、適当な材料を選択することによって、または、材料に仕上げ技術を用いることによって達成することができる。手袋１１０の様々な構成材料を形成する材料は、手袋１０を形成する構成材料に類似している。
【００２６】
図４を参照すると、手袋２１０の第４の実施例が示される。手袋２１０は、上記の手袋１０に類似している。裏面部分２１４の第１の層２２４は、２片の材料から形成される。第１の片２２４ａは、好適には、人差し指部分１８ｄ及び親指部分１８ｅに沿って手の甲から伸張する。或いは、第１の片２２４ａは、任意の１以上の指部分１８ａ乃至ｅから伸張することができる。この第１の片２２４ａは、実質的に非弾性材料から形成され、斯かる非弾性材料は、手袋１０のおもて面部分１２を形成する材料に類似している。第１の層２２４の第２の片２２４ｂは、好適には、シーム２２４ｃに沿って縫合することにより、前記第１の片２２４ａにつながれる。第２の片２２４ｂは、手袋１０の第１の層２４を形成する材料に類似した、実質的に弾性の材料から形成される。前記第２の片２２４ｂは、更に、手袋１０に類似のスリット２２４ｄ、開閉部材２２５、及び表示２２５ａを含む。
【００２７】
裏面部分２１４は、更に、弾性材料から成るリブから形成された第２の層２２６を含む。第２の層２２６は、好適には、シーム２２４ｃ上の不連続な点及び第１の層２２４の反対端に沿って第１の層２２４につながれる。第２の層２２６は、人差し指部分１８ｄから薬指部分１８ａに向かう弾性力Ｆをもたらすように構成され、且つ、寸法が取られる。使用者の手がゴルフクラブを適切に握っているときは、この力Ｆは、クラブシャフトと概ね直線になって、手袋のフィットに関して、使用者に安心感を与えるものである。
【００２８】
第２の層２２６は、手袋１０の第２の層２６を形成する材料に類似の材料から形成される。層２２６は、網目であるので、隙間２３６、２３７が形成される。或いは、手袋２１０は、異なる形状の第２の層２２６で形成することができ、且つ／または、手袋２１０は、層片２２４ｂなしで形成することができるので、該層２２６は、片２２４ａに直接つながり、使用者の手が隙間２３６、２３７を通して見える。本実施例の第２の層２２６が成型されて、例えば、下部リブ及び／または上部リブを有するか、または、シームの他の領域につながることができる。
【００２９】
本発明の様々な記述が上述されているが、本発明の様々な特徴は、単独で、または、その組み合わせで使用することが可能である。例えば、リブを備えた手袋層は、任意の形状から形成することができる。上記手袋は、特に、ゴルフ手袋として使用可能であるが、本発明の概念は、ドレス手袋、及び他のスポーツ手袋、例えば、野球手袋、スキー手袋、及びフットボール手袋等の他の手袋に使用することができる。他の実施例では、ロゴまたは表示が、ステッチ、プリント、シルクスクリーン等の方法によって、第１及び第２の層に形成することができる。１実施例の特徴は、他の実施例の特徴と共に使用することができる。従って、本発明は、本明細書に図示された特定の好適な実施例に限定されるものではない。
【００３０】
【発明の効果】
本発明は、使用者の手の周りに、快適に、ぴったり且つしっかりとフィットする手袋を提供する。手の動きの静的及び動的性質を備えた構成及び材料のバランスが、耐久性及び弾力性があるフィットを確実にする。本発明の手袋は、効果的に、体にぴったり合うことができ、それは、実質的に、手袋の耐用年数全体を通して存在する。この利点は、特有の設計及び下記の構成材料の組み合わせによるものであり、斯かる構成及び材料が、１つの手袋の望ましい快適さ、フィット、及び耐摩耗性を提供する。
【００３１】
本発明の、ぴったりとした快適なフィットは、高弾性材料を手の甲全体に使用することで提供される。マジックテープ（登録商標）式留めと組み合わせた場合、この処理は、最初に使用した時に、より順応するフィットを提供すると共に、手のひら材料が伸張するとおりに手袋を調整することができる。この同様の概念を、指及び親指の裏面にも展開することができる。
【図面の簡単な説明】
【図１】本発明の第１実施例による手袋の背面図である。
【図２】図１の手袋の正面図である。
【図３】本発明の第２実施例による手袋の背面図である。
【図４】本発明の第３実施例による手袋の背面図である。
【符号の説明】
１０        ゴルフ手袋
１２        おもて面部分
１４        裏面部分
２４        第１の層
２６        第２の層
【図１】
0003920721.tif 000002
【図２】
0003920721.tif 000003
【図３】
0003920721.tif 000004
【図４】
0003920721.tif 000005